(57)【要約】【課題】パチンコ台の台間玉貸機のような狭隘なスペースに設けられる玉貸機において、高額紙幣を始めとする各種紙幣、硬貨の他に、ICコインをビジターコインと会員コインに区別した形態による遊技媒体の払出し又は釣銭の支払いを可能とした遊技装置の玉貸機を提供する。【解決手段】第１振分け部12に保持されたICコインがビジターコインと識別されると、該ビジターコインの情報を第２振分け部14に保持されたビジターコインに付け替えた後、第１振分け部のビジターコインを保留通路13に送出して保留する一方、第１振分け部に保持されたICコインが会員コインと識別されると、該会員コインを第１振分け部に保持した状態で該コインの情報を処理する。また、第１振分け部に保持されたICコインが会員コインと識別されると、該会員コインを返却通路24へ送出して第２振分け部に案内すると共に該第２振分け部に保持した状態で該コインの情報を処理する。【選択図】図１
2006061373.tif 000002
【特許請求の範囲】
【請求項１】
玉貸機の内部に投入されたICコインの情報を読み取るための第１アンテナを有する第１振分け部と第２アンテナを有する第２振分け部とが保留通路を介して設けられた遊技装置の玉貸機であって、前記第１振分け部は投入されたICコインを保留通路又は返却通路に送り出し可能に保持し、前記第１振分け部に保持されたICコインが前記第１アンテナの読み取りによってビジターコインと識別されると、該ビジターコインに設定された情報を第２振分け部に保持されたビジターコインに付け替えた後、前記第１振分け部のビジターコインを前記保留通路に送出して保留する一方、前記第１振分け部に保持されたICコインが会員コインと識別されると、該会員コインを前記第１振分け部に保持した状態で該会員コインに設定された情報を処理するようにしたことを特徴とする遊技装置の玉貸機。
【請求項２】
玉貸機の内部に投入されたICコインの情報を読み取るための第１アンテナを有する第１振分け部と第２アンテナを有する第２振分け部とが保留通路を介して設けられた遊技装置の玉貸機であって、前記第１振分け部は投入されたICコインを保留通路又は返却通路に送り出し可能に保持し、前記第１振分け部に保持されたICコインが前記第１アンテナの読み取りによってビジターコインと識別されると、該ビジターコインに設定された情報を第２振分け部に保持されたビジターコインに付け替えた後、前記第１振分け部のビジターコインを前記保留通路に送出して保留する一方、前記第１振分け部に保持されたICコインが会員コインと識別されると、該会員コインを前記返却通路へ送出して第２振分け部に案内すると共に、該会員コインを前記第２振分け部に保持した状態で前記会員コインの情報を処理するようにしたことを特徴とする遊技装置の玉貸機。
【発明の詳細な説明】
【技術分野】
【０００１】
本発明は、パチンコ台の台間玉貸機のような複雑な配線等を有する狭隘なスペースに設けられる玉貸機において、高額紙幣を始めとする各種紙幣、硬貨の他に、ICコインをビジターコインと会員コインに区別した形態による遊技媒体の払出し又は釣銭の支払いを可能とした遊技装置の玉貸機に関するものである。
【背景技術】
【０００２】
一般に、パチンコ店においては、パチンコ島に複数のパチンコ台が並設されると共に、このように並設されたパチンコ台の台間に台間玉貸機が設置されている。このような台間玉貸機においては、利用客による現金の投入により、金額に応じた数量の貸玉を払い出すようにした現金玉貸機が一般的であったが、近年においては、利用客によるＣＲカード（プリペイドカード）を挿入して玉貸ボタンを押すことにより、所定数量の貸玉を払い出すようにしたＣＲ玉貸機も普及しつつある。
【０００３】
ところで、従来の現金玉貸機は、一般的に千円紙幣のみ使用可能であった。このように紙幣の額が特定されている理由の一つに釣銭の問題があった。即ち、高額紙幣を始めとする種々の紙幣、あるいは貨幣の使用を可能とするには、貸出機に通貨の判別装置や釣銭のための収容スペースを確保しなければならず、装置が大型化するため、スペースの限られた台間玉貸機では、釣銭を支払う装置の実現が困難なものとなっていた。
【０００４】
その半面、利用客の要望に応じて、従来から、台間玉貸機のような複雑な配線等を有する狭隘なスペースに設けられる玉貸機においても、できるだけ多種の玉貸媒体を利用可能とし、しかも利用度数に応じて遊技媒体の払出しを可能とするようにした玉貸機が開発されるようになっている。
【０００５】
特許文献１に記載の装置は、ICコインの採用によって、偽造コイン等を使用した不正な遊技媒体の払い出しや、清算時における不正な釣銭の詐取を防止すると共に、各種紙幣の使用を可能とするものである。
【０００６】
この特許文献１の構成は、図１２に示すように、遊技システム６１において挿入した紙幣６２の金額から購入した遊技媒体の金額を差し引いた金額分のICコイン６０を貸し機Ａ（メダル貸し機Ａ１、玉貸し機Ａ２）から払い出す処理と、このICコイン６０の払い出し時に、ICコイン６０へのデータの書き込み及び同データの管理コンピュータＣへの書き込みを行う処理と、遊技終了時において、残ったICコイン６０が精算機Ｂに投入された時に、ICコイン６０に書き込まれたデータと管理コンピュータＣに書き込まれたデータとを比較して、一定の条件を満たしたときに、ICコイン６０に相当する分の紙幣を払い出す処理とを含むものである。
【特許文献１】特開２００２−１８１０９号公報
【発明の開示】
【発明が解決しようとする課題】
【０００７】
ところが、上記の特許文献１の構成においては、挿入した紙幣の金額から購入したメダル又は玉のいずれかの遊技媒体の金額を差し引いた金額データが書き込まれたICコインを払出すようにしたものであり、このICコインに関するICデータを管理コンピュータで管理することによって、偽造コイン等を使用した不正な遊技媒体の払い出しや、清算時における不正な釣銭の詐取を防止するようにしたものである。従って、この特許文献１の遊技システムによれば、遊技の当初から使用し得る支払い媒体は紙幣のみであって、硬貨やビジターコイン（一時的な利用客によって使用されるICコイン）或いは会員コイン（会員契約をした利用客が所有するICコイン）を使用することができないという欠点があった。
【０００８】
なお、ICコインのみならず、硬貨や高額紙幣を使用することが可能な玉貸機を構造化することは理論上は可能であるが、従来からそのような玉貸機の実現を困難にしていたのは、玉貸機がパチンコ台の狭い台間に設置され、この台間には複雑な部品や配線等が設けられているためであり、そのような玉貸機の内部に多様な玉貸媒体のための複雑な装置を組み込むことが非常に困難であったからである。
【０００９】
本発明は、上記の事情に鑑みてなされたもので、パチンコ台の台間玉貸機のような複雑な配線等を有する狭隘なスペースに設けられる玉貸機において、高額紙幣を始めとする各種紙幣、硬貨だけでなく、ICコイン、さらにはICコインをビジターコインと会員コインに区別した形態による遊技媒体の払出し又は釣銭の支払いを可能とした遊技装置の玉貸機を提供することを目的とするものである。
【課題を解決するための手段】
【００１０】
上記の問題を解決するために、本発明の請求項１の遊技装置の玉貸機は、玉貸機の内部に投入されたICコインの情報を読み取るための第１アンテナを有する第１振分け部と第２アンテナを有する第２振分け部とが保留通路を介して設けられた遊技装置の玉貸機であって、前記第１振分け部は投入されたICコインを保留通路又は返却通路に送り出し可能に保持し、前記第１振分け部に保持されたICコインが前記第１アンテナの読み取りによってビジターコインと識別されると、該ビジターコインに設定された情報を第２振分け部に保持されたビジターコインに付け替えた後、前記第１振分け部のビジターコインを前記保留通路に送出して保留する一方、前記第１振分け部に保持されたICコインが会員コインと識別されると、該会員コインを前記第１振分け部に保持した状態で該会員コインに設定された情報を処理するようにしたことを特徴とする。
【００１１】
また、本発明の請求項２の遊技装置の玉貸機は、玉貸機の内部に投入されたICコインの情報を読み取るための第１アンテナを有する第１振分け部と第２アンテナを有する第２振分け部とが保留通路を介して設けられた遊技装置の玉貸機であって、前記第１振分け部は投入されたICコインを保留通路又は返却通路に送り出し可能に保持し、前記第１振分け部に保持されたICコインが前記第１アンテナの読み取りによってビジターコインと識別されると、該ビジターコインに設定された情報を第２振分け部に保持されたビジターコインに付け替えた後、前記第１振分け部のビジターコインを前記保留通路に送出して保留する一方、前記第１振分け部に保持されたICコインが会員コインと識別されると、該会員コインを前記返却通路へ送出して第２振分け部に案内すると共に、該会員コインを前記第２振分け部に保持した状態で前記会員コインの情報を処理するようにしたことを特徴とする。
【発明の効果】
【００１２】
本発明は、請求項１の発明及び請求項２の発明のいずれにおいても、第１アンテナを有する第１振分け部と第２アンテナを有する第２振分け部とが保留通路を介して設けられた簡単な構成によって、パチンコ台の台間玉貸機のような複雑な配線等を有する狭隘なスペースに装備可能であり、高額紙幣を始めとする各種紙幣、硬貨の他に、ビジターコインと会員コインとのいずれのICコインを使用した場合でも、遊技媒体の払出し又は釣銭の支払いを行うことが可能となる。
【００１３】
即ち、上記のように構成された本発明の遊技装置の玉貸機は、第１振分け部に保持されたICコインが第１アンテナの読み取りによってビジターコインと識別されると、該ビジターコインに設定された情報を第２振分け部に保持されたビジターコインに付け替えた後、第１振分け部のビジターコインを保留通路に送出して保留する。従って、第１振分け部が開放状態となって他のICコインを投入することが可能となる一方、利用者は第２振分け部に保持されたビジターコインによって遊技媒体の払出し又は釣銭の支払いが可能となる。
【００１４】
また、請求項１の発明において、利用者が他のICコインを玉貸機に投入すると、このICコインは上記のように開放された状態の第１振分け部に収納することが可能である。このICコインが第１振分け部で会員コインと識別されると、該会員コインを第１振分け部に保持した状態で該会員コインに関する情報を処理することによって、遊技媒体の払出し又は釣銭の支払いが可能となる。
【００１５】
さらに、請求項２の発明においては、ビジターコインの識別及び処理構成は請求項１の発明と同様であるが、第１振分け部に収納されたICコインが会員コインと識別された場合の処理構成が請求項１の発明と異なるものである。即ち、第１振分け部に収納されたICコインが会員コインと識別されると、この会員コインを第１振分け部から返却通路へ送出することによって、第１振分け部を空にすると共に、会員コインを第２振分け部に保持した状態で会員コインの情報を処理する構成によって、常に第１振分け部に他のコインを受け入れ可能にし、第２振分け部で会員コインに関する情報を処理することによって、遊技媒体の払出し又は釣銭の支払いが可能となる。
【発明を実施するための最良の形態】
【００１６】
以下、本発明の実施例について図面を参照しながら説明する。なお、以下の実施例１は請求項１の発明に対応し、実施例２は請求項２の発明に対応するものである。
【００１７】
また、これらの実施例に関する構造を示した図面として、図１(ａ)は実施例１と実施例２に共通する全体構成の内部側面状況を示すもので、図１(ｂ)はその前面状況を示す図である。また、図２は実施例１に係るICコイン処理ユニット１５にカバー４０を設けた斜視図であって、第１アンテナ２０と第２アンテナ２２のそれぞれの扉１９、２１を開放状態にした図である。また、図３は実施例１に係るICコイン処理ユニット１５の斜視図である。さらに、図４、図５は実施例２に係るICコイン処理ユニット１５の斜視図であって、図３に示す第２振分け部１４の上方近傍における保留通路１３の一部及びICコイン払出通路３５を切り欠くことによって、その背後に構成された会員コイン通路５５、第２分けディスク１６ｂの全体が見えるようにした図である。
【実施例１】
【００１８】
図１(ａ)及び(ｂ)を用いて本発明における玉貸機1の全体構造を説明する。玉貸機１の前面上部には紙幣挿入口２と硬貨投入口３が設けられている。紙幣挿入口２の内部には紙幣識別機４が設けられ、挿入された紙幣（1,000円、2,000円、5,000円、10,000円）が識別される。
【００１９】
また、硬貨投入口３からは、100円硬貨又は500円硬貨のほかに、ICコインを投入することが可能である。本発明においては、ICコインとして、会員コインとビジターコインが使用することができる。各コインにはそれぞれのID番号が記録され、このID番号が後述する第１アンテナ２０で読み取られ、該情報が後述する管理領域で識別されることによって、それが会員コインであるか、ビジターコインであるかが判別される。
【００２０】
図１において、硬貨投入口３に投入された硬貨5は、玉貸機１の内部に設けられた投入通路７を経て、硬貨セレクター８を通過し、該硬貨セレクター８によって硬貨５の種別が判別される。即ち、硬貨セレクター８を通過した硬貨が、100円硬貨又は500円硬貨の正貨である場合、正貨通路９に移行され、その硬貨５による入金額分の貸玉が玉払出口１０から不図示の上皿へ排出される。また、硬貨以外のICコイン等は非正貨通路１１を経て第１振分け部１２へ移行される。
【００２１】
第１振分け部１２は、図１に示すように、保留通路１３と返却通路２４に分岐され、保留通路１３はその下方の第２振分け部１４に連結され、さらに第２振分け部１４はICコイン払出し通路３５と回収通路53に分岐されている。
【００２２】
次に、上記の第１振分け部１２と第２振分け部１４とを有するICコイン処理ユニット１５の構造について図２を参照しながら詳細に述べる。なお、図２はICコイン処理ユニット１５の各通路にカバー４０を設けたものとして図示してある。
【００２３】
図２のように非正貨通路１１の下部に位置する第１振分け部１２には不図示の電動モータによって回動する第１振分けディスク１６ａが設けられている。この第１振分けディスク１６ａには円板形の前面に回転軸１７の近傍から周方向へ至るＶ字形の切欠凹部１８が設けられ、この切欠凹部１８が上方を向いた状態で、非正貨通路１１から移動したICコインCを切欠凹部１８に収納するようにしている。
【００２４】
また、第１振分け部１２には上部扉１９が開閉自在に設けられ、この上部扉１９を閉じた状態で第１振分けディスク１６ａの切欠凹部１８に収容されているICコインＣの情報を読み取るための第１アンテナ２０が設けられている。この第１アンテナ２０が、図３に示すように第１振分けディスク１６ａの切欠凹部１８に収納されたICコインＣのID番号を読み取った結果、そのICコインＣがビジターコインBCであると識別した場合、後述する第２振分け部１４における第２振分けディスク１６ｂの切欠凹部１８に予め保持されたビジターコインBCのID番号に対応する管理領域に残高を移動した後、第１振分け部１２の第１振分けディスク１6ａを回動してビジターコインBCを保留通路１３に移動して保留する。
【００２５】
また、第１アンテナ２０がICコインCのID番号を読み取った結果、そのICコインが会員コインMCであると識別した場合、図３に示すように第１振分けディスク１６ａの切欠凹部１８に会員コインMCを保持した状態を保ち、第１アンテナ２０で読み取った会員コインMCに関する情報が後述する管理領域に送られる。
【００２６】
さらに、そのICコインが正規の硬貨ではなく、またビジターコインでも会員コインでもない場合、即ち偽貨である場合、第１振分けディスク１６ａは右方に回動して該偽貨を返却通路２４に移動し、返却口２５から排出する（図４参照）。
【００２７】
一方、図３に示すように、第２振分け部１４の第２振分けディスク１６ｂは、ICコイン払出し通路３５と回収通路５３に分岐された通路において、円板形の側面に回転軸１７の近傍から周方向へ至るＶ字形の切欠凹部１８を有し、この切欠凹部１８が上部を向いた状態で、該切欠凹部１８にビジターコインBCを収納するようにしている。
【００２８】
なお、この第２振分けディスク１６ｂが不図示の電動モータによって回動する構造や、図２に示すように、下部扉２１が開閉自在に設けられ、この下部扉２１を閉じた状態で第２振分けディスク１６ｂの切欠凹部１８に収容されているビジターコインBC（図３参照）の情報を読み取るための第２アンテナ２２（図２参照）が設けられていることは、上記の第１振分けディスク１６ａと同様の構成を有する。
【００２９】
ところで、上記のようにICコインC（ビジターコインBC又は会員コインMC）には個々のコインを識別するためのID番号が記録され、第１アンテナ２０で読み取られたICコインのID番号と第２アンテナ２２で読み取られたICコインのID番号は、別途設けられた管理サーバ３０の管理領域３１に送信される。
【００３０】
この管理サーバ３０の管理領域３１においては、上下部の各アンテナ２０、２２で読み取られたICコインC（ビジターコインBC又は会員コインMC）のID番号とそれに対応する残高を記憶及び管理する。即ち、図６に示すように、上記のように第１アンテナ２０で読み取られた第１振分け部１２におけるビジターコインBCのID番号を仮にＣ（ID：Ｃ）とし、第２アンテナ２２で読み取られた第２振分け部１４におけるビジターコインBCのID番号を仮にＤ（ID：Ｄ）とすると、ID番号Ｃの残高が仮に3,000円である場合、この残高をID番号Ｄの情報として変換する。また、ID番号を読み取れなかったときは、ビジターコインBCを回収通路５３（図３参照）へ送出する。
【００３１】
このような情報の置き換えによって、第２振分け部１４のビジターコインBCに対応するID番号に残高として3,000円が記憶されると、第１振分け部１２のビジターコインBCに対応するID番号には残高としてＯ円が記憶され、保留通路１３に貯留されたビジターコインBCは管理領域３１において全て０円として記憶されることになる。
【００３２】
また、第２振分け部１４におけるビジターコインBCは、図１（ｂ）の返却スイッチ２３をＯＮすることで、第２振分け部１４の第２振分けディスク１６ｂが右方に回動することにより、ICコイン払出通路３５を経て返却口２５から返却される。
【００３３】
なお、返却スイッチ２３をＯＮするのは、利用客が払出された貸玉によって遊技を終了した後であり、その貸玉の払出し分は差し引かれ、その残高がID番号ＤのビジターコインBCの情報として記憶される。
【００３４】
図７に示すものは、複数の玉貸機１、１…と会員管理サーバ３２及び管理サーバ３０との接続状況であり、夫々の会員管理サーバ３２と管理サーバ３０には複数の管理領域３１、３１…が設けられ、玉貸機１の第１振分け部１２の第１アンテナ２０と第２振分け部１４の第２アンテナ２２から送信されたID番号を記憶すると共に、上記のような残高の変換を行い、その情報は管理サーバ３０に接続された清算機３３に送られ、この清算機３３にビジターコインBCを投入することによって、そのコインのID番号に応じた残高を釣銭として現金で払出すものとしている。
【００３５】
従って、本実施例の玉貸機においては、釣銭の管理及び実行は、玉貸機の側で行うのではなく、管理サーバ３０の管理領域３１にて、第２振分け部１４のビジターコインBCに関するID番号に対応して記憶された残高に応じて釣銭の払出しを行うものである。
【００３６】
ここで、図３に示す構造についてさらに説明すると、第１振分け部１２にて読取りができなかった識別不良硬貨や識別不良ICコインは、第１振分けディスク１６ａを右側に回動することによって返却通路２４へ移行させられ、該返却通路２４を経て返却口２５から返却される。
【００３７】
また、図１（ｂ）において、玉貸機１の前面に設けられた返却スイッチ２３の左方には、玉貸機１の内部に詰まった硬貨又は偽貨を含むICコイン（ビジターコインBC又は会員コインMC）を返却するための返却ボタン２７が設けられている。
【００３８】
さらに、玉貸機１の前面には、貸玉数の減算表示を行う残玉回数表示２８が設けられ、その下部には、高額紙幣、ICコイン（ビジターコインBC又は会員コインMC）の残高度数を表示するための残高・貯玉度数表示２９が設けられ、さらにその下部にはICコイン（ビジターコインBC又は会員コインMC）の残高表示を切り替えるための表示切替スイッチ３４が設けられている。
【００３９】
また、その下部には、2000円以上の高額紙幣の受け付け可能時に点灯する高額使用可ＬＥＤ３６が設けられ、その下部には後述する会員コインMCの受け付け可能時に点灯する貯玉使用可ＬＥＤ３７が設けられている。
【００４０】
また、その並びには、管理サーバ３０における管理領域３１においてICコインＣ（ビジターコインBC又は会員コインMC）の残高が有りのときにＯＮすることによって、1000円分の玉貸しを行うための高額払出スイッチ３８が設けられ、その下部には、会員コインMCを挿入した際に貯玉を払出すための貯玉払出スイッチ３９が設けられている。
【００４１】
さらに、玉貸機１の前面下部には、エラーコインを回収するときに使用する鍵４１が設けられ、その下部にはICコイン（ビジターコインBC又は会員コインMC）或いは偽貨ＦＣ又は硬貨を返却する際の返却口２５が設けられている。
【００４２】
一方、図１(ａ)に示すように、玉貸機１の内部において、各装置を制御すると共に管理サーバ３０と通信を行うための制御部４３が設けられ、その下部には、制御部４３と通信を行い、玉貸機１の玉払出数や売上状況を記憶したり管理するデータ収集部４４が設けられている。
【００４３】
ここで、図８により、玉貸機に現金を使用する場合のフローチャートについて説明すると、ステップＡ１において紙幣挿入口２に紙幣を挿入した場合、その金額が1000円以下である場合（ステップＡ２）、入金額分の貸玉が玉払出口１０から排出される（ステップＡ３）。また、ステップＡ１において硬貨投入口３に硬貨を投入した場合、入金額分の貸玉が玉払出口１０から排出される（ステップＡ３）。さらに、硬貨投入口３にICコインを投入した場合、後述する図９のフローチャートにおけるステップＳ１に移行する。
【００４４】
また、硬貨投入口に1000円以上の硬貨を投入した場合と、紙幣挿入口２に紙幣を挿入した場合に、その入金額が第２振分け部１４のビジターコインBCのID番号（このID番号をＤとする）に対応する管理サーバ３０の管理領域３１に記憶される（ステップＡ４）。
【００４５】
次いで、1000円分の玉貸しが行われ（ステップＡ５）、このときから利用客は遊技が可能となり、その金額を差し引いた金額が管理領域３０のID番号Ｄに対する残高として更新される（ステップＡ５）。その結果、ステップＡ６において、残高が０円の場合、玉貸しは行われないが、残高がある場合、利用客はその残高を残高貯玉度数表示２９に表示された利用可能残高表示によって確認することができる（ステップＡ７）。このとき、利用客がさらに貸玉を要求する場合、高額払出スイッチ３８をＯＮすることによって（ステップＡ８）、さらに1000円分の玉貸しが行われ、その金額を差し引いた金額が管理領域３１のID番号Ｄに対する残高として更新される（ステップＡ５）。
【００４６】
なお、このように、利用客は残高貯玉度数表示２９によって利用可能残高を知り、さらに遊技を続行する場合、高額払出スイッチをＯＮすることによって、1000円分の玉貸しが行われ、その都度、差し引き金額が管理領域のID番号Ｄに対する残高として更新される。
【００４７】
一方、利用客が遊技を終了するとき、返却スイッチ２３をＯＮすると（ステップＡ９）、第２振分け部１４から返却口２５を経てビジターコインBCが払出される（ステップＡ１０）。このように払出されたコインは上記のID番号ＤなるビジターコインBCであって、そのビジターコインBCを清算機３３に投入すると、清算機３３で読み取られたID番号ＤのビジターコインBCに対する残高が払い戻される。また、ステップA９にて利用客が遊技を続行する場合、返却スイッチをＯＮすることなく、ステップA８に返って、高額払出スイッチをＯＮすると、それ以降は上記と同様となる。
【００４８】
また、玉貸機１のほうでは、次に第２振分け部１４に入ったビジターコインBCのID番号に対応する残高が管理領域３１に設定され（ステップＡ１１）、上記と同様に利用客の利用に応じて残高が管理領域３１に記憶される。
【００４９】
以上説明したように、硬貨を使用する場合でも、紙幣を使用する場合でも、またICコインとしてビジターコインBCを使用する場合でも、その使用額に応じて遊技後の残高が払い戻されることになる。
【００５０】
次いで、図９により、ビジターコインBCを使用する場合のフローチャートについて説明する。上記の硬貨投入口３にICコインＣを投入したとき、図８のステップＳ１を経て、このICコインＣは第１振分け部１２に至り、ステップＢ１にてこの第１振分け部１２でICコインのID番号が読み取られ、硬貨投入口３に投入されたICコインがビジターコインBCか会員コインMCかの識別が行われる（ステップＢ２）。その結果、硬貨投入口３に投入されたICコインが会員コインMCである場合、図１０に示すステップS３に移行する。
【００５１】
また、硬貨投入口３に投入されたICコインがビジターコインBCである場合、そのID番号が管理サーバ３０の管理領域３１に送られ、この管理領域３０に記録されているビジターコインBCのID番号に対応する残高が残高貯玉度数表示２９に表示される（ステップＢ３）。このとき、残高がある場合、その残高を第２振分け部１４のビジターコインBCのID番号に対応する管理領域３１に移動し（ステップＢ４）、第１振分け部１２のビジターコインBCを保留通路１３に移動して保留する（ステップＢ５）。
【００５２】
それ以降は、図８のステップＳ２に移行し、利用客は残高貯玉度数表示２９の利用可能残高表示によって残高を知り、遊技を続行する場合、高額払出スイッチ３８をＯＮすることによって、1000円分の玉貸しが行われ、その都度、差し引き金額が管理領域３１のID番号Ｄに対する残高として更新される。また、遊技を終了するとき、返却スイッチ２３をＯＮすると、第２振分け部１４から返却口２５を経てビジターコインBCが排出され、そのビジターコインBCを清算機３３に投入することによって、清算機３３で読み取られたID番号ＤのビジターコインBCに対する残高が払い戻される。
【００５３】
一方、図９のステップＢ３において、管理サーバ３０の管理領域３１に残高がない場合は、第１振分け部１２のビジターコインBCを保留通路１３に移動して保留することとなり（ステップＢ６）、それ以降は上記の操作を繰り返すこととなる。
【００５４】
さらに、図１０により、硬貨投入口３にICコインを投入して、そのコインが会員コインMCであると判断された場合のフローチャートについて説明する。即ち、硬貨投入口３にICコインＣを投入したとき、図３に示すように第１振分け部１２に収納されたICコインＣのID番号が読み取られた結果、このICコインＣが会員コインMCであると識別された場合、第１振分け部１２は回動せず、会員コインMCは第１振分け部１２の第１振分けディスク１６ａに保持されたままの状態となる（ステップＣ１）。
【００５５】
また、これと同時に会員コインMCのID番号が読み取られ、その結果が会員管理サーバ３２に送られると共に、その会員コインMCのID番号に対応する管理領域３１に貯玉残数があるか否かが判別される（ステップＣ２）。また、貯玉残数がない場合は、ステップC７に到って会員コインMCが返却される。利用客はその残高を残高貯玉度数表示２９に表示された利用可能残高表示によって確認することができる（ステップＣ３）。
【００５６】
一方、利用客がさらに貸玉を要求する場合、貯玉払出スイッチ３９をＯＮすることによって（ステップＣ４）、一定数分の貯玉の払出しが行われると共に、その払出された貸玉を差し引いた貯玉数が管理領域３１の会員コインMCのID番号に対する残数として更新される（ステップＣ５）。
【００５７】
また、ステップＣ６において、利用客が遊技の終了によって貸玉を要求しない場合、返却スイッチ２３をＯＮすることによって、会員コインMCが返却されるが（ステップＣ７）、利用客が遊技を続行する場合は、上記のように貯玉払出スイッチ３９をＯＮすることによって（ステップC４）、上記と同様にステップC５に移行する。
【実施例２】
【００５８】
この実施例の玉貸機は上記の実施例１と同様に、図１(ａ)又は(ｂ)に示す全体構成を有するものである。また、ビジターコインBCの処理もまた、実施例１と同様の構成であり、実施例１と同様の図８のフローチャートによって処理される。ただし、本実施例は、会員コインに関する処理において、実施例１と異なる構成を有するものである。従って、この実施例においては、実施例１と相違する点についてだけ説明することとする。
【００５９】
ここで、本実施例が案出された理由について述べると、上記の実施例１においては、硬貨投入口３にICコインを投入して、そのコインが会員コインMCであると判断された場合、第１振分け部１２は回動せず、図３に示すように、会員コインMCは第１振分け部１２の第１振分けディスク１６ａに保持されたままの状態となる。ところが、この状態では、識別不良硬貨や識別不良ICコインを投入されても、これらの硬貨或いはコインが非正貨通路１１から下方に移動できないため、返却の処理に移行できないという不都合が生じる。
【００６０】
本実施例は、このような不都合を解消するためになされたものである。そこで、上記の実施例１と異なる構成について説明する。図４に示すように、返却通路２４の下部にはシャッター５４が設けられている。このシャッター５４は返却通路２４の下部に形成された左方に下り勾配を有する横長の開口部５４ａに設けられ、第１振分け部１２の第１振分けディスク１６ａに収納されたICコインを第１アンテナ２０で読み取った結果により、このICコインが識別不良ICコイン（偽貨FC）であると識別した場合（図４参照）、返却通路２４を開放する方向へシャッター５４を引き込むように駆動し、このICコインが会員コインMCであると識別した場合（図５参照）、返却通路２４を遮断する方向へシャッター５４を突出するように駆動される。
【００６１】
このように、そのICコインが正規の硬貨ではなく、またビジターコインでも会員コインでもない場合、即ち識別不良である偽貨FCである場合、第１振分け部１２の第１振分けディスク１６ａは右方に回動して偽貨FCを返却通路２４に送出するが、このとき返却通路２４の下部に設けられたシャッター５４が開放されることにより、この偽貨FCはそのまま返却通路２４を通過し、返却口２５から排出される。
【００６２】
また、図５に示すように、シャッター５４が第１アンテナ２０による信号によって突出することにより返却通路２４が遮断されると、この会員コインMCはシャッター５４の上部にて左方へ送出されると共に分流部材５８によって仕切られた会員コイン通路５５を経て第２振分け部１４に到る。
【００６３】
第２振分け部１４の第２振分けディスク１６ｂは、ICコイン払出し通路３５と回収通路５３に分岐された通路において、円板形の前面に回転軸１７の近傍から周方向へ至るＶ字形の切欠凹部１８を有し、切欠凹部１８が上方を向いた状態で、該切欠凹部１８にICコインCを収納するようにしている（図３に示すような状態）。
【００６４】
また、この第２振分け部１４の第２振分けディスク１６ｂには、図４に示すように、Ｖ字形の切欠凹部１８の反対側の外周に沿って会員コイン用のICコインを収納するようにした会員コイン用切欠き凹部５６が設けられている。従って、上記のように第１振分け部１２の第１振分けディスク１６ａで右側に振り分けられたコインは返却通路２４を経て、シャッター５４で遮断された後、左方の分流部材５８に送出され、第２振分け部１４における第２振分けディスク１６ｂの会員コイン用切欠き凹部５６に収納される。
【００６５】
一方、本実施例において、上記のように第１振分け部１２の第１振分けディスク１６ａに保持されたICコインを右方に送出すると、第１振分け部１２の第１振分けディスク１６ａは空の状態となって、次に投入されたコインを受け入れ可能となる。
【００６６】
なお、識別不良硬貨や識別不良ICコインを投入した場合、第１振分け部１２の第１振分けディスク１６ａにおいて第１アンテナ２０で識別された結果、返却通路２４を経て、開放状態にされたシャッター５４を通過し、返却口２５から排出される。
【００６７】
なお、図４において、第２振分け部１４における第２振分けディスク１６ｂの会員コイン用切欠き凹部５６の直上に設けられた傾斜状の複数のツメ５７は会員コイン通路５５の面上に形成された案内用の部材であり、図５に示すように、会員コインMCはツメ５７に沿って円滑に第２振分けディスク16ｂの会員コイン用切欠き凹部５６に収納される。
【００６８】
上記の構成において、硬貨投入口３に硬貨等を投入した場合は、図８のフローチャートに従って処理され、また硬貨投入口３にICコインを投入して、そのコインがビジターコインBCであると判断された場合は、図９のフローチャートに従って処理されるが、本実施例において、硬貨投入口３にICコインを投入して、そのコインが会員コインMCであると判断された場合は、図１１に示すフローチャートに従って処理される。
【００６９】
即ち、図１１において、貨投入口３にICコインを投入し、第１振分け部１２に収納されたICコインＣのID番号が読み取られた結果、会員コインMCであると判別された場合、本実施例においては、第１振分け部１２が右方に回動すると共に、シャッター５４が突出するため、返却通路２４を落下した会員コインMCはシャッター５４によって会員コイン通路５５を経て第２振分け部１４の第２振分けディスク１６ｂに保持された状態となる（ステップＣ’１）。
【００７０】
本実施例においては、会員コインMCが第２振分け部１４の第２振分けディスク１６ｂに保持された状態でID番号が読み取られ、それ以降は、実施例１の図１０に示す処理がなされる。即ち、会員コインMCのID番号が読み取られ、その結果が会員管理サーバ３２に送られると共に、その会員コインMCのID番号に対応する管理領域３１に貯玉残数があるか否かが判別される（ステップＣ２）。また、貯玉残数がない場合は、ステップC７に到って会員コインMCが返却される。利用客はその残高を残高貯玉度数表示２９に表示された利用可能残高表示によって確認することができる（ステップＣ３）。
【００７１】
一方、利用客がさらに貸玉を要求する場合、貯玉払出スイッチ３９をＯＮすることによって（ステップＣ４）、一定数分の貯玉の払出しが行われると共に、その払出された貸玉を差し引いた貯玉数が管理領域３１の会員コインMCのID番号に対する残数として更新される（ステップＣ５）。
【００７２】
また、ステップＣ６において、利用客が遊技の終了によって貸玉を要求しない場合、返却スイッチ２３をＯＮすることによって、会員コインMCが返却されるが（ステップＣ７）、利用客が遊技を続行する場合は、上記のようにステップC４で貯玉払出スイッチ３９をＯＮすることによって上記と同様にステップC５に移行する。
【００７３】
なお、ICコインにはID番号を付与し、残高は管理サーバ３０に記憶させるものとして不正行為防止のための照合データの書き込みなどを併用すれば、ICコイン自体に残高を記憶するものとすることも可能である。
【産業上の利用可能性】
【００７４】
本発明は、パチンコ台の台間玉貸機のような複雑な配線等を有する狭隘なスペースに設けられる玉貸機において、高額紙幣を始めとする各種紙幣、硬貨の他に、ICコインをビジターコインと会員コインに区別した形態による遊技媒体の払出し又は釣銭の支払いを可能とした遊技装置の玉貸機として利用することが可能である。
【図面の簡単な説明】
【００７５】
【図１】（ａ）は本発明に係る玉貸機の内部を示す側面図であり、（ｂ）はその玉貸機の前面図である。
【図２】本発明の実施例１に係るICコイン処理ユニットにカバーを設けた斜視図である。
【図３】本発明の実施例１に係るICコイン処理ユニットの斜視図である。
【図４】本発明の実施例２に係るICコイン処理ユニットの斜視図（第２の振分け部の上方近傍の保留通路及びICコイン払出通路を一部切り欠いた状態）である。
【図５】本発明の実施例２に係るICコイン処理ユニットの斜視図（第２の振分け部の上方近傍の保留通路の一部及びICコイン払出通路を切り欠いた状態）である。
【図６】本発明に係る管理サーバの機能を説明するための概略図である。
【図７】本発明に係る複数の玉貸機と会員管理サーバ及び管理サーバとの接続状況を示すための概略図である。
【図８】本発明に係る玉貸機に現金を使用した場合のフローチャートである。
【図９】本発明に係る玉貸機にICコイン（ビジターコイン）を使用した場合のフローチャートである。
【図１０】本発明の実施例１に係る玉貸機に会員コインを使用した場合のフローチャートである。
【図１１】本発明の実施例２に係る玉貸機に会員コインを使用した場合のフローチャートである。
【図１２】特許文献１の遊技システムを示す構成図である。
【符号の説明】
【００７６】
１…玉貸機
２…紙幣挿入口
３…硬貨投入口
４…紙幣識別機
５…硬貨
７…投入通路
８…硬貨セレクター
９…正貨通路
１０…玉払出口
１１…非正貨通路
１２…第１振分け部
１３…保留通路
１４…第２振分け部
１５…ICコイン処理ユニット
１６ａ…第１振分けディスク
１６ｂ…第２振分けディスク
１７…回転軸
１８…切欠凹部
１９…上部扉
２０…第１アンテナ
２１…下部扉
２２…第２アンテナ
２３…返却スイッチ
２４…返却通路
２５…返却口
２６…エラーコイン収納部
２７…返却ボタン
２８…残玉回数表示
２９…残高貯玉度数表示
３０…管理サーバ
３１…管理領域
３２…会員管理サーバ
３３…清算機
３４…表示切替スイッチ
３５…ICコイン払出通路
３６…高額使用可ＬＥＤ
３７…貯玉使用可ＬＥＤ
３８…高額払出スイッチ
３９…貯玉払出スイッチ
４０…カバー
４１…鍵
４３…制御部
４４…データ収集部
５３…回収通路
５４ａ…開口部
５４…シャッター
５５…会員コイン通路
５６…会員コイン用切欠き凹部
５７…ツメ
５８…分流部材
Ｃ…ICコイン
BC…ビジターコイン
MC…会員コイン
FC…偽貨
【図１】
2006061373.tif 000003
【図２】
2006061373.tif 000004
【図３】
2006061373.tif 000005
【図４】
2006061373.tif 000006
【図５】
2006061373.tif 000007
【図６】
2006061373.tif 000008
【図７】
2006061373.tif 000009
【図８】
2006061373.tif 000010
【図９】
2006061373.tif 000011
【図１０】
2006061373.tif 000012
【図１１】
2006061373.tif 000013
【図１２】
2006061373.tif 000014